(57)【要約】【課題】別途トラベルカバーを購入する必要がなく、トラベルカバーの保管が容易で、別に設けられているトラベルカバーを使用する場合のように、トラベルカバーの用意を忘れたりトラベルカバーを紛失する危険を防止することができるトラベルカバー付キャディバッグを提供する。【解決手段】トラベルカバー収納袋４をキャディバッグ１００と一体的にキャディバッグ１００の所定部分に取付け、トラベルカバー収納袋４にトラベルカバー３を縫着し、日ごろはトラベルカバー３をトラベルカバー収納袋４に折り重ねた状態で入れて保管し、旅行の時や雨天時、長期間保管する時には、キャディバッグ保護のために、トラベルカバー収納袋４からトラベルカバー３を引出して展開し、キャディバッグ１００に被せて保管するようにすることで、別途トラベルカバーを購入する必要がないし、トラベルカバーの保管が容易で、別に設けられているトラベルカバーを使用する場合のように、トラベルカバーの用意を忘れたりトラベルカバーを紛失する危険を防止することができる。【選択図】　　図１
0003096916.tif 000002
【実用新案登録請求の範囲】
【請求項１】
バッグ本体（１）の上部に、バッグ用フード（２）を着脱可能に取付けているキャディバッグ（１００）において、キャディバッグ（１００）の外部若しくは内部に、開閉手段を具備するトラベルカバー収納袋（４）を取付け、このトラベルカバー収納袋（４）の内部にトラベルカバー（３）の一端部を縫着し、トラベルカバー（３）をトラベルカバー収納袋（４）に出し入れ可能に収納できるようにしたことを特徴とするトラベルカバー付キャディバッグ。
【請求項２】
上記第１項にあって、トラベルカバー収納袋（４）がバッグ用フード（２）に取付けられていることを特徴とするトラベルカバー付キャディバッグ。
【請求項３】
上記第１項にあって、トラベルカバー収納袋（４）がバッグ本体（１）に取付けられていることを特徴とするトラベルカバー付キャディバッグ。
【請求項４】
上記第１項にあって、トラベルカバー（３）がスライド式ファスナ（５）で開閉可能となっており、その下端部にベルクロファスナ（７）が取付けられているベルト（８）が縫着されていることを特徴とするトラベルカバー付キャディバッグ。
【請求項５】
上記第１項にあって、前記開閉手段がスライド式ファスナ（５´）であることを特徴とするトラベルカバー付キャディバッグ。
【請求項６】
上記第１項にあって、前記開閉手段がベルクロファスナであることを特徴とするトラベルカバー付キャディバッグ。
【請求項７】
上記第１項にあって、トラベルカバー（３）が防水機能を有していることを特徴とするトラベルカバー付キャディバッグ。
【考案の詳細な説明】
【０００１】
【考案の属する技術分野】
本考案は、ゴルフクラブやゴルフボールを収納して保管及び携帯が可能なキャディバッグに関するもので、さらに詳しくは、トラベルカバー収納袋をキャディバッグと一体的にキャディバッグの所定部分に取付け、トラベルカバー収納袋にトラベルカバーを縫い付けるようにして、普段はトラベルカバーをトラベルカバー収納袋に折り重ねた状態で入れて保管し、旅行の時や雨天時、長期間保管する時にはキャディバッグ保護のために、トラベルカバー収納袋からトラベルカバーを引出して展開しキャディバッグに被せるようにすることで、別途トラベルカバーを購入する必要がないし、トラベルカバーの保管がしやすく、キャディバッグとは別に設けられているトラベルカバーを使用する場合のように、トラベルカバーの用意を忘れたり、トラベルカバーを紛失する危険を防止できるトラベルカバー付キャディバッグに関するものである。
【０００２】
【従来の技術】
一般的にキャディバッグは、アイアンやウッドのような各種ゴルフクラブをヘッドが損傷しないように収納した状態で、保管や携帯するように構成されており、旅行の時や雨天時、長期間保管する時にはキャディバッグ保護のため、防水性を有する素材を用いて形成されており、キャディバッグとは別に設けられているトラベルカバーを被せて使用される場合がある。
【０００３】
しかしながら、このような従来のトラベルカバーでは、別途購入費用がかかるうえ、キャディバッグの使用者がトラベルカバーの用意を忘れやすく、またトラベルカバーの保管が面倒であったり、トラベルカバーを紛失しやすい等の問題があって、結果的にキャディバッグの保護が疎かになることがある。
【０００４】
【考案が解決しようとする課題】
本考案の目的は、上記のような従来の問題点を解決するために、旅行の時や雨天時、長期間の保管時におけるキャディバッグ保護のため、トラベルカバー収納袋をキャディバッグと一体的にキャディバッグの所定部分に取付け、トラベルカバー収納袋にトラベルカバーを縫着していることを特徴としたトラベルカバー付キャディバッグを提供することを目的としている。
【０００５】
【課題を解決するための手段】
【０００６】
【考案の実施の形態】
以下、本考案を添付図面に基づいて詳しく説明する。
【０００７】
本考案は、バッグ本体１の上部にバッグ用フード２を脱可能に取付けたキャディバッグ１００において、キャディバッグ１００の外部若しくは内部に、開閉手段を具備するトラベルカバー収納袋４が取付けられており、トラベルカバー収納袋４の内部にトラベルカバー３の一端部が縫着され、トラベルカバー３がトラベルカバー収納袋４に出し入れ可能に収納されていることを特徴としている。
【０００８】
トラベルカバー３は防水性を有する素材で形成されていて、キャディバッグ１００全体に被せることができる大きさとなっており、スライド式ファスナ５で上端から下端まで開閉可能に形成され、下端部にはベルクロファスナ（面ファスナ）７が取付けられているベルト８が縫着されている。
【０００９】
そして、トラベルカバー収納袋４の開閉手段には、スライド式ファスナ５´やベルクロファスナを使用することができ、これらの他にボタンなどを使用することもできる。
【００１０】
また、キャディバッグ１００の内部は、アイアンやウッドのような各種ゴルフクラブを、ヘッドが互いにぶつかって損傷しないように収納して、保管や携帯ができるように構成されており、バッグ本体１の外部には携帯に便利なショルダーベルト９と輪などが設けられているが、これらの構成は公知のものであるので詳しい説明は省略する。図面中の符号１０は、ベルト８を通して引張ることができる、ベルト８の一端部に取付けられている環状のフックである。
【００１１】
以下、実施例によって本考案の作用効果について説明する。
【００１２】
図１及び２は、本考案の実施例を表した説明図で、図１はバッグ用フード２の内部に取付けられたトラベルカバー収納袋４から、トラベルカバー収納袋４に縫着されたトラベルカバー３を引出して展開した状態を表し、図２はトラベルカバー３をキャディバッグ１００に被せた状態を表している。
【００１３】
このように、トラベルカバー３は、展開した時に上端となる部分がトラベルカバー収納袋４に縫着することにより固定されているから、キャディバッグ１００に取付けた状態で被せることができる。また、トラベルカバー３を展開した時にその両側端になる部分には、上下２個の引き手６・６´を備えたスライド式ファスナ５が設けられているので、トラベルカバー３は容易に開閉することができ、場合によっては、閉じたトラベルカバー３の一部だけを開けた状態にしておくことで、キャデバッグ１００内部のゴルフクラブＣを容易に出し入れすることができる。また、トラベルカバー３を展開した時にその下端になる部分には、ベルクロファスナ７が取付けられているベルト８を縫着しておけば、キャディバッグ１００にトラベルカバー３を包み込んだ時、トラベルカバー３の下端部が翻ることなく、しっかり閉じ塞ぐことができる。
【００１４】
一方、トラベルカバー３には必要に応じて、ショルダーベルト９を引出すことができる穴を形成しておけば、トラベルカバー３を包み込んだ状態でショルダーベルト９を使用することができるようになる。
【００１５】
そうして、図３は上記実施例において、トラベルカバー３を収納した状態を示しており、バッグ用フード２の内部に形成されたトラベルカバー収納袋４に、一端部が縫着されたトラベルカバー３が収納されている状態を表している。
【００１６】
このように、トラベルカバー収納袋４の開閉口がバッグ用フード２の外形線と一致するように設けられているので、トラベルカバー３を収納してトラベルカバー収納袋４の開閉手段を閉めた状態では、外観上、一般的なキャディバッグと何ら変わるところがない。
【００１７】
また、トラベルカバー３とトラベルカバー収納袋４は、クッションの役割を果し外部の衝撃からゴルフクラブＣを保護する役割も担っている。
【００１８】
図４は本考案の異なる実施例を表した状態図で、トラベルカバー３が取付けられているトラベルカバー収納袋４´を、バッグ本体１の外部正面に形成し、トラベルカバー収納袋４´の開閉口部に一端部が縫着されているトラベルカバー３を、トラベルカバー収納袋４´から引出して展開し、キャディバッグ１００に被せた状態を表している。
【００１９】
このように、トラベルカバー収納袋４´をキャディバッグ１００の外部に形成すれば、キャディバッグ１００の内部空間を侵食することはないし、既存のキャディバッグに多くの加工を加えなくても、トラベルカバー収納袋４´を簡単に取付けて使うこともできるし、キャディバッグ１００の外観に別途装飾を加えることもできる。
【００２０】
この他にもトラベルカバー３が縫付けられているトラベルカバー収納袋４・４´は必要に応じて、バッグ本体１の外部の左右側面など様々なところに形成することができる。
【００２１】
図５は本考案のキャディバッグが電動カート１１に載せられて使われる状態を表しており、図示のようにしてコースでキャディバッグ１００を使用している時、突然雪や雨が降った場合に、トラベルカバー３引出して、簡単にキャディバッグに被せてレインカバーとして使うこともできる。
【００２２】
上述のように構成された本考案は、トラベルカバー３とトラベルカバー収納袋４・４´がキャディバッグ１００に一体的に取付けられているので、キャディバッグ１００の保管や携帶する時に別途トラベルカバー３を用意する必要がなく、トラベルカバー収納袋４・４´を開けてトラベルカバー３を引出して展開し、すぐに使用することができるので、キャディバッグ１００の保護を容易に行うことができる。
【００２３】
【考案の効果】
このように本考案は、トラベルカバーが取付られているトラベルカバー収納袋を、キャディバッグと一体的になるように、その所定部分に取付けることで、別途トラベルカバーを購入する費用を省けるのはもちろんのこと、トラベルカバーの保管が容易で、トラベルカバーを紛失する危険がないという効果があり、キャディバッグの使用者がトラベルカバーの用意を忘れることがなく、突然の雪や雨が降った場合にも、簡単にキャディバッグを保護できるという効果も有している。
【図面の簡単な説明】
【図１】本考案の実施例にかかるトラベルカバー付キャディバッグの使用状態を示す説明図である。
【図２】本考案の実施例にかかるトラベルカバー付キャディバッグの使用状態を示す説明図である。
【図３】図３は本考案の実施例にかかるトラベルカバーの収納状態を表す説明図である。
【図４】図４は本考案の別の実施例にかかるトラベルカバー付キャディバッグの使用状態を示す説明図である。
【図５】図５は本考案にかかるキャディバッグが、電動カートにセットされた状態を示す説明図である。
【符号の説明】
１　バッグ本体
２　バッグ用フード
３　トラベルカバー
４　トラベルカバー収納袋
４´　トラベルカバー収納袋
５　スライド式ファスナ
５´　スライド式ファスナ
６　引き手
６´　引き手
７　ベルクロファスナ
８　ベルト
９　ショルダーベルト
１０　フック
１１　電動カート
１００　キャディバッグ
【図１】
0003096916.tif 000003
【図２】
0003096916.tif 000004
【図３】
0003096916.tif 000005
【図４】
0003096916.tif 000006
【図５】
0003096916.tif 000007